(57)【特許請求の範囲】
【請求項１】
対話型表示・入力装置を介して系統図表示指令の入力およびプラント系統図の表示を行う系統図表示システムにおいて、
プラントから入力されるプラントデータに基づいてプラントの運転状態を確認する運転状態確認手段と、
プラント系統図データを格納する系統図データファイルと、
前記対話型表示・入力装置を介して入力される系統図表示指令に基づいて前記系統図データファイルから該当する系統図データを取り出す系統図選択手段と、
この系統図選択手段によって取り出された系統図データを前記運転状態確認手段によって確認された起動時、通常時、停止時のプラントの運転状態に分別して各プラント運転状態別に設けられた系統図ヒストリデータファイルへ、古いデータを新たなデータに入れ替えて保存する系統図ヒストリ保存手段と、
前記対話型表示・入力装置からの入力信号により系統図ヒストリの要求があったことを認知し、前記運転状態確認手段によって確認されたプラントの運転状態に基づいて前記系統図ヒストリデータファイルに保存されている系統図ヒストリデータのタイトルデータを取り出し系統図ヒストリメニューを表示する系統図ヒストリメニュー表示手段と、
前記系統図ヒストリメニューより選択された系統図ヒストリデータのタイトルデータに該当する系統図ヒストリデータを前記系統図ヒストリデータファイルから取り出し系統図表示手段へ渡す系統図ヒストリ選択手段と、
前記系統図ヒストリ選択手段から系統図ヒストリデータを受け取り、その系統図画面を前記対話型表示・入力装置へ表示出力する系統図表示手段とを備えたことを特徴とする系統図表示システム。
【発明の詳細な説明】
【０００１】
【産業上の利用分野】
本発明は、模擬装置を含むプラント運転監視装置等において、運転状態の監視や操作機器選択の際に使用されるプラントの系統図を表示する系統図表示システムに関する。
【０００２】
【従来の技術】
プラントの運転状態の監視には、主に対話の入力を行うタッチスクリーンを装備した表示装置（フルグラフィックＣＲＴ等）およびタッチスクリーンのバックアップ用キーボードからなるハードウェア構成を用いて、プラントをいくつかの関連する機器（タービン軸受け温度等）ごとに分けて図にしプラントから読み込んだ状態量をその図に重ねて運転員が見て分かりやすいように構成した系統図を、表示装置に表示するようになってきている。
【０００３】
このプラント監視用の系統図の数は、１プラントで数十枚であったが、近年では小人数運転や、マンマシンの高度化、並びに大型スクリーンやＣＲＴのみでプラント監視を行う盤レス中央操作化ともない１プラントで数百枚と格段に増加しており、運転員がその中から目的の系統図を表示するためには、この莫大な数の系統図の中から選択し、表示要求をしなくてはならなくなってきた。
【０００４】
しかしながら、実際のプラント監視においては、運転員が異常監視のために用いる系統図は限られており、莫大な数の系統図の中から毎回目的の系統図を選択するのは能率が悪かった。
【０００５】
従来の系統図表示システムの構成を図６に示す。この図において、ＣＲＴ等の表示装置１ａ、この表示装置１ａの画面上に設置されたタッチスクリーン１ｂおよびキーボード１ｃ等の入力装置からなる対話型表示・入力装置１と、運転員からタッチスクリーン１ｂまたはキーボード１ｃを介して入力されるタッチスクリーン入力データＤ1 またはキーボード入力データＤ2 を受け取り、最初の系統図表示指令により系統図メニューデータＤ3 を表示装置１ａに出力する入力手段３と、表示装置１ａに表示された系統図メニューに基づいて入力された系統図番号データＤ4 を入力手段３から受け取り、プラント５の系統図データを格納する系統図データファイル７から該当する系統図データＤ5 を取り出す系統図選択手段９と、プラント５からプラントデータＤ6 を入力するプラントデータ入力手段１１と、系統図選択手段９によって取り出された系統図データＤ5 を受け取り、その系統図に必要なプラントデータＤ7 をプラントデータ入力手段１１から入力して系統図画面データＤ8 として表示装置１ａに出力する系統図表示手段１３とで構成されている。
【０００６】
このような従来の系統図表示システムの動作を説明すると、運転員は、まず表示装置１ａに表示されているの選択メニューから系統図メニュー画面を要求し、その系統図メニュー画面から表示したい系統図の番号をタッチスクリーン１ｂを介してタッチスクリーン入力データＤ1 として入力手段３へ通知する。このとき、運転員は系統図番号をキーボード１ｂを介して同様にキーボード入力データＤ2 として入力手段３へ入力することもできる。
【０００７】
入力手段３は、画面上で選択された系統図番号を系統図番号データＤ4 として系統図選択手段９に通知する。
【０００８】
系統図選択手段９は、系統図番号データＤ4 をインデックスにして、系統図データファイル７から系統図データＤ5 を取り出し、系統図表示手段１３へ渡す。
【０００９】
系統図表示手段１３は、系統図データＤ5 を受けとり、この系統図上に表示するプラントデータ（プラント状態量）をプラントデータ入力手段１１を介して入力して系統図画面データＤ8 にし、表示装置１ａにプラント系統図を表示する。
【００１０】
以上の動作により、従来の系統図表示システムでは、運転員の要求に従い指定された系統図を表示装置１ａに表示することができる。
【００１１】
【発明が解決しようとする課題】
しかしながら、上記従来の系統図表示システムでは、運転員は目的とする系統図の表示要求をするたびに、毎回上位の全機能選択メニューから系統図表示のためのメニューを呼び出し、そこに登録してある莫大な数の系統図の中から、表示したい系統図を選択し表示要求をしなければならず、目的の系統図を選択および、表示するのに時間がかかっていたという第１の問題がある。
【００１２】
また、一般的にプラントの運転状態によって監視に使用する系統図が変わるのが常であるが、各運転状態に合わせた系統図を選択する上で経験の浅い運転員にとっては、莫大な数の系統図の中からの必要な系統図を選択するのは容易ではないという第２の問題がある。
【００１３】
本発明は、上記各問題を解決するためになされたもので、運転員による系統図表示要求の際の系統図選択にかかる時間を削減し、より早く目的とする系統図の選択を完了させ、系統図を表示させることのできる系統図表示システムを提供することを目的とする。
【００１４】
【課題を解決するための手段】
すなわち本発明は、対話型表示・入力装置を介して系統図表示指令の入力およびプラント系統図の表示を行う系統図表示システムにおいて、プラントから入力されるプラントデータに基づいてプラントの運転状態を確認する運転状態確認手段と、プラント系統図データを格納する系統図データファイルと、前記対話型表示・入力装置を介して入力される系統図表示指令に基づいて前記系統図データファイルから該当する系統図データを取り出す系統図選択手段と、この系統図選択手段によって取り出された系統図データを前記運転状態確認手段によって確認された起動時、通常時、停止時のプラントの運転状態に分別して各プラント運転状態別に設けられた系統図ヒストリデータファイルへ、古いデータを新たなデータに入れ替えて保存する系統図ヒストリ保存手段と、前記対話型表示・入力装置からの入力信号により系統図ヒストリの要求があったことを認知し、前記運転状態確認手段によって確認されたプラントの運転状態に基づいて前記系統図ヒストリデータファイルに保存されている系統図ヒストリデータのタイトルデータを取り出し系統図ヒストリメニューを表示する系統図ヒストリメニュー表示手段と、前記系統図ヒストリメニューより選択された系統図ヒストリデータのタイトルデータに該当する系統図ヒストリデータを前記系統図ヒストリデータファイルから取り出し系統図表示手段へ渡す系統図ヒストリ選択手段と、 前記系統図ヒストリ選択手段から系統図ヒストリデータを受け取り、その系統図画面を前記対話型表示・入力装置へ表示出力する系統図表示手段とを備えたことを特徴とするとを備えたことを特徴とする。
【００１６】
【作用】
上記構成においては、通常の監視に用いる系統図がある程度限られていることから、運転員が過去に表示要求をした系統図のデータを系統図ヒストリデータファイルに保存することにより、運転員が毎回上位の全機能選択メニューから系統図表示のためのメニューを呼び出し、そこに登録してある莫大な数の系統図の中から目的の系統図を選択する手間を省き、系統図ヒストリメニューの限定された数の系統図から表示したい系統図を容易に選択できるようになり、系統図選択に要する時間を短縮することができる。
【００１７】
また、さらに運転状態確認手段を設け、プラントの運転状態別に系統図ヒストリデータファイルを分けた構成においては、プラントの運転状態に対応し、その運転状態時に表示要求のあった系統図を各運転状態別の系統図ヒストリデータファイルに保存することにより、各運転状態にあった系統図を系統図ヒストリメニューの運転状態別に登録された限定された数の系統図から選択できるようになる。
【００１８】
これにより、通常のプラント監視時の系統図表示を行う際に、早く簡単に目的の系統図を表示することができ、運転員の作業負荷の低減を図ることができる。
【００１９】
【実施例】
以下、図面に基づいて本発明の実施例を説明する。なお、従来例と共通する部分には同一符号を付し、重複する説明は省略する。
【００２０】
図１は、本発明の系統図表示システムの一実施例を示すもので、従来例の構成に加えて、過去に表示要求された系統図データを格納する系統図ヒストリデータファイル２１と、表示要求された系統図データを系統図ヒストリデータファイル２１に保存する系統図ヒストリ保存手段２３と、系統図ヒストリ表示指令により系統図ヒストリデータファイル２１から系統図データを取り出す系統図ヒストリ選択手段２５とを備えている。
【００２１】
上記構成において、入力手段３は、対話型表示・入力装置１よりタッチスクリーン入力データＤ1 またはキーボード入力データＤ2 を受け取り、系統図メニューの表示要求か、系統図ヒストリメニューの表示要求か、最終的な系統図画面の表示要求かを判別し、系統図メニューの表示要求の場合は、対応する系統図メニュー画面を表示装置１ａに打ち返す。また、最終的な系統図画面の表示要求の場合は、系統図メニューに基づくものは系統図番号データＤ4 として系統図選択手段９に渡す。
【００２２】
系統図選択手段９は、入力手段３から系統図番号データＤ4 を受け取ると、その系統図番号データＤ4 にあった系統図データＤ5 を系統図データファイル７から取り出す。
【００２３】
ここで、系統図データファイル７の構成は、図２に示すように、全ての系統図に一連に割り振られた番号ごとに保存されており、入力手段３から受け取る系統図番号データＤ4 もこの構成にあったものである。
【００２４】
系統図選択手段９は、系統図表示手段１３に対して系統図データＤ5 を渡し、表示装置１ａへの系統図表示を要求すると同時に、系統図ヒストリ保存手段２３に対しても系統図データＤ5 を渡し、系統図ヒストリデータファイル２１へ運転員が要求した系統図を保存するように要求する。
【００２５】
系統図ヒストリ保存手段２３は、系統図選択手段９から受け取った系統図データＤ5 を系統図ヒストリデータファイル２１に保存する。
【００２６】
系統図ヒストリデータファイル２１の構成は、図３に示すようになっており、系統図ヒストリデータファイル２１の大きさをｎ個分の系統図が保存できるとしたとき、系統図ヒストリデータファイル２１には、最大ｎ個の系統図ヒストリデータＤ11が保存することができる。そして、この系統図ヒストリファイル２１をサイクリックに使用することにより、ｎ＋１番目に保存要求のあった系統図データＤ5 は、一番古い系統図ヒストリデータＤ11と入れ替えて、最新の系統図ヒストリデータＤ11として系統図ヒストリデタファイル２１に保存される。
【００２７】
次に、系統図ヒストリデータファイル２１から系統図を表示するときの動作を説明する。
【００２８】
入力手段３は、対話型表示・入力装置１からの入力信号により系統図ヒストリの要求があったことを認知し、系統図ヒストリデータファイル２１より保存されている全ての系統図ヒストリデータのタイトルデータＤ12を取り出し、図４に示すような系統図ヒストリメニュー３１を表示装置１ａ上にポップアップウィンドを作成して表示するための系統図ヒストリメニューデータＤ13にして表示装置１ａに出力し、運転員からの系統図ヒストリの要求を受ける。このとき、表示装置１ａの基本画面上またはタッチスクリーン１ｂのバックアップ用キーボード１ｃに系統図ヒストリメニュー３１要求用のファンクションキー相当のキーを用意しておく。運転員はこのファンクションキーの操作により系統図ヒストリメニュー３１の要求を行う。
【００２９】
系統図ヒストリメニュー３１の系統図ヒストリ選択エリア３１ａには、系統図ヒストリデータファイル２１中に保存してあるｍ（≦ｎ）個の系統図ヒストリデータＤ11のうちｉ（≦ｍ）個の系統図ヒストリデータＤ11のタイトルが表示されている。運転員はこの中から表示したい系統図を選択し、系統図ヒストリ表示ＰＢ３１ｂにて表示要求を行う。このとき、系統図ヒストリ選択エリア３１ａにはｉ個の系統図のタイトルしか一度に表示できないため、それ以外の系統図を選択する時には、系統図ヒストリ前進ＰＢ３１ｃ、および系統図ヒストリ後進ＰＢ３１ｄの操作により系統図ヒストリ選択エリア３１ａ上のタイトルを変更し目的の系統図を選択する。この系統図ヒストリ前進ＰＢ３１ｃおよび系統図ヒストリ後進ＰＢ３１ｄの動作は、系統図ヒストリデータＤ11のタイトルが一段ずつスクロールするようにタイトルが変更する。これは系統図ヒストリデータファイル２１に保存されている全ての系統図ヒストリのタイトルデータＤ12を使用する。また、運転員が表示したい系統図が系統図ヒストリデータファイル２１に保存されていなかったときには、運転員は系統図ヒストリメニュー３１上の系統図ヒストリメニュー消去ＰＢ３１ｅを選択することによって系統図ヒストリメニュー３１を表示装置１ａから消去する。なお、この系統図ヒストリメニュー３１は、運転員から系統図ヒストリ表示ＰＢ３１ｂにて系統図の表示要求が行われた場合には、自動的に消去される。
【００３０】
入力手段３は、運転員によって選択された系統図ヒストリデータのタイトル示す情報を主にタッチスクリーン入力データＤ1 として入力し、系統図ヒストリ番号データＤ14にして、系統図ヒストリ選択手段２５に渡す。
【００３１】
系統図ヒストリ選択手段２５は、受け取った系統図ヒストリ番号データＤ14をインデックスにして系統図ヒストリデータフィル２１から系統図ヒストリデータＤ11を取り出し、系統図表示手段１３に渡す。
【００３２】
系統図表示手段１３は、系統図選択手段９からの系統図データＤ5 または系統図ヒストリ選択手段２５からの系統図ヒストリデータＤ11を受け取ると、その系統図画面を表示装置１ａに表示するとともに、プラントデータ入力手段１１を介して現在のプラントデータＤ7 を入力し系統図画面にプラント状態量を表示する。
【００３３】
上記実施例によれば、運転員が表示要求をおこなった系統図が系統図ヒストリデータファイル２１に保存されるため、運転員は毎回莫大な数の系統図データタイトルからなる系統図メニューから目的の系統図を選び出すことなく、簡単に早く系統図を表示することができる。
【００３４】
図５は、本発明の系統図表示システムの他の実施例を示すもので、図１に示す構成に、プラントの運転状態を確認し、そのプラント運転状態を系統図ヒストリ保存手段２３と、入力手段３と、系統図ヒストリ選択手段２５に通知する運転状態確認手段２７を加えた構成になっている。
【００３５】
上記構成において、運転員から指定された系統図は、系統図選択手段９にて系統図データファイル７から取り出され、系統図ヒストリ保存手段２３を介して系統図ヒストリデータファイル２１に保存されが、ここで系統図ヒストリ保存手段２３は、運転状態確認手段２７にて確認された運転状態を示す運転状態データＤ15を受け取り、現状のプラント運転状態を把握して起動時系統図ヒストリデータファイル２１ａ、通常時系統図ヒストリデータファイル２１ｂ、停止時系統図ヒストリデータファイル２１ｃのいずれかに系統図ヒストリデータＤ11を保存する。
【００３６】
また、運転員からの系統図ヒストリ表示要求を受け取った入力手段３は、現状のプラント運転状態を運転状態確認手段２７にて確認し、この確認結果に基づいて起動時系統図ヒストリデータファイル２１ａ、通常時系統図ヒストリデータファイル２１ｂ、または停止時系統図ヒストリデータファイル２１ｃのいずれかの系統図ヒストリデータファイル２１から系統図ヒストリデータのタイトルデータＤ12を取り出し、系統図ヒストリメニュー３１を作成して表示装置１ａにポップアップウィンドとして表示する。これにより運転員からの系統図ヒストリ表示の要求を促す。
【００３７】
運転員からの系統図ヒストリ表示要求を主にタッチスクリーン１ｂからタッチスクリーン入力データＤ1 として受け取った入力手段３は、系統図ヒストリ番号データＤ14を系統図ヒストリ選択手段２５に渡す。
【００３８】
系統図ヒストリ選択手段２５は、運転状態確認手段２７にて確認した現状のプラント運転状態に従い、起動時系統図ヒストリデータファイル２１ａ、通常時系統図ヒストリデータファイル２１ｂ、または停止時系統図ヒストリデータファイル２１ｃのいずれかの系統図ヒストリデータファイル２１から系統図ヒストリデータＤ11を取り出すかを判断し、該当する系統図ヒストリデータファイル２１から系統図ヒストリデータＤ11を取り出す。取り出された系統図ヒストリデータＤ11は、系統図表示手段１３に渡され、表示装置１ａ上に表示される。
【００３９】
以上のようにして、上記実施例によれば、プラントの各運転状態ごとに使用された系統図をそれぞれ分けて保存することにより、運転員は系統図ヒストリから表示要求を行うことにより、プラント運転状態に合致したプラント監視画面を容易に選択することができる。
【００４０】
また、経験の浅い運転員でも各運転状態にあった系統図が系統図ヒストリデータファイル２１に保存されているため、系統図ヒストリを要求することにより系統図ヒストリメニュー３１からその運転状態にあった系統図を選択することができる。
【００４１】
なお、上記実施例においては、タッチスクリーンを用いた構成について説明したがこれに限定せず、他のポインイングディバイスを用いてもよいことはもちろんである。
【００４２】
【発明の効果】
上記したように、本発明によれば、運転員が表示要求をおこなった系統図が系統図ヒストリデータファイルに保存されるため、運転員は毎回莫大な数の系統図選択メニューから目的の系統図を選び出すことなく、簡単に早く系統図を表示することができる。
【００４３】
さらに、プラントの運転状態を確認する手段を設けて、プラントの運転状態に応じて運転員によって要求された系統図をそれぞれ分別して保存することにより運転員は系統図ヒストリから表示要求を行うだけで、プラント運転状態に合致したプラント監視画面を容易に選択することができる。
【図面の簡単な説明】
【図１】本発明の一実施例の系統図表示システムを示すブロック図である。
【図２】系統図データファイルの構成例を示す図である。
【図３】系統図ヒストリデータファイルの構成例を示す図である。
【図４】系統図ヒストリメニュー画面を例示する図である。
【図５】本発明の他の実施例を示すブロック図である。
【図６】従来の系統図表示システムを示すブロック図である。
【符号の説明】
１………対話型表示・入力装置
３………入力手段
７………系統図データファイル
９………系統図選択手段
１１………プラントデータ入力手段
１３………系統図表示手段
２１………系統図ヒストリデータファイル
２３………系統図ヒストリ保存手段
２５………系統図ヒストリ選択手段
２７………運転状態確認手段
【図１】
0003986568.tif 000002
【図２】
0003986568.tif 000003
【図３】
0003986568.tif 000004
【図４】
0003986568.tif 000005
【図５】
0003986568.tif 000006
【図６】
0003986568.tif 000007